(57)【要約】【課題】  バックライトユニット、これを含むディスプレイ装置、及びバックライトユニットの製造方法を提供する。【解決手段】  一実施形態のバックライトユニットは２Ｄ映像と３Ｄ映像のための光をディスプレイパネルに提供する導光板を含む。前記導光板は、第１光源から提供された光をディスプレイパネルに出光させる第１出光パターンを上面に含み、第２光源から提供された光をディスプレイパネルに出光させる第２出光パターンを下面に含む。【選択図】      図１
2018088408.tif 000002
【特許請求の範囲】
【請求項１】
３Ｄディスプレイのための第１光を提供する第１光源と、
２Ｄディスプレイのための第２光を提供する第２光源と、
前記第１光をディスプレイパネルに出光させる第１出光パターンを上面に含み、前記第２光を前記ディスプレイパネルに出光させる第２出光パターンを下面に含む導光板と、
を含む、バックライトユニット。
【請求項２】
前記第１出光パターンは、前記第１光源によって提供されて前記導光板内で全反射される前記第１光を前記導光板の上面を介して出光させる複数の線形構造を含む、請求項１に記載のバックライトユニット。
【請求項３】
前記複数の線形構造は逆台形の断面を有する、請求項２に記載のバックライトユニット。
【請求項４】
前記第１出光パターンと前記ディスプレイパネルが互いに一定の間隔を保持するように、前記第１出光パターンの上面は前記ディスプレイパネルに光学接着剤により固定される、請求項１乃至３のいずれか一項に記載のバックライトユニット。
【請求項５】
前記第２出光パターンは、前記第２光源によって提供されて前記導光板内で全反射される前記第２光を前記導光板の下面を介して出光させる複数の線形構造を含む、請求項１乃至４のいずれか一項に記載のバックライトユニット。
【請求項６】
前記第２出光パターンの前記複数の線形構造は円形断面又は多角形断面のうち少なくとも１つを有し、前記導光板外部に突出し又は前記導光板内部に湾入される、請求項５に記載のバックライトユニット。
【請求項７】
前記第２出光パターンによって前記導光板の下面に出光された光を前記ディスプレイパネルに反射する反射体をさらに含む、請求項１乃至６のいずれか一項に記載のバックライトユニット。
【請求項８】
前記反射体の上面は三角形態である、請求項７に記載のバックライトユニット。
【請求項９】
前記第２出光パターンと前記反射体との間に配置される散光器をさらに含む、請求項７に記載のバックライトユニット。
【請求項１０】
前記第１光源は前記導光板に第１方向に前記３Ｄディスプレイのための前記第１光を提供し、前記第２光源は前記導光板に第２方向に前記２Ｄディスプレイのための前記第２光を提供する、請求項１乃至９のいずれか一項に記載のバックライトユニット。
【請求項１１】
前記第１方向と前記第２方向は互いに垂直である、請求項１０に記載のバックライトユニット。
【請求項１２】
前記第１光源及び前記第２光源は、前記導光板の対向しない互いに異なる側面に配置される、請求項１乃至１１のいずれか一項に記載のバックライトユニット。
【請求項１３】
前記第１光源及び前記第２光源のうち少なくとも一方は、前記導光板の対向する互いに異なる側面に配置される、請求項１乃至１２のいずれか一項に記載のバックライトユニット。
【請求項１４】
前記第１光源及び前記第２光源のうち少なくとも一方の反対側の前記導光板の側面に配置される少なくとも１つの反射体をさらに含む、請求項１乃至１２のいずれか一項に記載のバックライトユニット。
【請求項１５】
前記第１光源及び前記第２光源のうち少なくとも一方と前記導光板との間に配置される少なくとも１つの導光バーと散光器をさらに含む、請求項１乃至１４のいずれか一項に記載のバックライトユニット。
【請求項１６】
２Ｄモード又は３Ｄモードで表示するディスプレイパネルと、
前記ディスプレイパネルに光を提供する導光板と、
前記ディスプレイパネルが前記３Ｄモードで表示する場合、前記導光板に第１方向の第１光を提供する第１光源と、
前記ディスプレイパネルが前記２Ｄモードで表示する場合、前記導光板に第２方向の第２光を提供する第２光源と、
を含み、
前記導光板は、前記第１光を前記ディスプレイパネルに出光させる第１出光パターンを上面に含み、前記第２光を前記ディスプレイパネルに出光させる第２出光パターンを下面に含む、ディスプレイ装置。
【請求項１７】
前記第１出光パターンは、前記第１光源によって提供されて前記導光板内で全反射される前記第１光を前記導光板の上面を介して出光させる複数の線形構造を含む、請求項１６に記載のディスプレイ装置。
【請求項１８】
前記第２出光パターンは、前記第２光源によって提供されて前記導光板内で全反射される前記第２光を前記導光板の下面を介して出光させる複数の線形構造を含む、請求項１６又は１７に記載のディスプレイ装置。
【請求項１９】
前記第２出光パターンによって前記導光板の下面に出光された光を前記ディスプレイパネルに反射する反射体をさらに含む、請求項１６乃至１８のいずれか一項に記載のディスプレイ装置。
【請求項２０】
前記第１方向と前記第２方向は互いに垂直である、請求項１６乃至１９のいずれか一項に記載のディスプレイ装置。
【請求項２１】
前記第１光源及び前記第２光源は、前記導光板の対向しない互いに異なる側面に配置される、請求項１６乃至２０のいずれか一項に記載のディスプレイ装置。
【請求項２２】
前記第１光源及び前記第２光源のうち少なくとも一方と前記導光板との間に配置される少なくとも１つの導光バーと散光器をさらに含む、請求項１６乃至２１のいずれか一項に記載のディスプレイ装置。
【請求項２３】
第１面に第１方向の第１線形パターンと、
前記第１面の反対側の第２面に前記第１方向と異なる第２方向の第２線形パターンと、
を含み、
３Ｄディスプレイのための第１光源からの光は前記第１線形パターンによって出光され、２Ｄディスプレイのための第２光源からの光は前記第２線形パターンによって出光される、導光板。
【請求項２４】
前記第１方向と前記第２方向は垂直である、請求項２３に記載の導光板。
【請求項２５】
前記第１方向と前記第２方向は７０°よりも大きく８０°よりも小さい角度をなす、請求項２３に記載の導光板。
【請求項２６】
前記第１方向と前記第２方向がなす角度は、３Ｄ映像のための光の品質に関連する第１制限と、２Ｄ映像のための光の品質に関連する第２制限に基づいて決定される、請求項２３に記載の導光板。
【請求項２７】
前記第１線形パターンの断面は逆台形である、請求項２３乃至２６のいずれか一項に記載の導光板。
【請求項２８】
前記第２線形パターンの断面は円形である、請求項２３乃至２７のいずれか一項に記載の導光板。
【請求項２９】
前記第１線形パターンは規則的なパターンを含み、
前記第２線形パターンは、規則的なパターンあるいは不規則的なパターンを含む、請求項２３乃至２８のいずれか一項に記載の導光板。
【請求項３０】
下面に複数の第１構造を含む下部と、
上面に複数の第２構造を含む上部と、
を含み、
前記第２構造は、光源からの光のうち少なくとも一部を導光板から出光させ、前記複数の第２構造の少なくとも一部は逆台形の断面を有する、導光板。
【請求項３１】
前記複数の第１構造は前記導光板外部に突出し又は前記導光板内部に湾入される、請求項３０に記載の導光板。
【請求項３２】
前記複数の第２構造は一定の間隔で形成される、請求項３０又は３１に記載の導光板。
【請求項３３】
前記複数の第１構造のうち少なくとも一部は部分的に円形の断面を有する、請求項３０乃至３２のいずれか一項に記載の導光板。
【請求項３４】
前記上部は３Ｄ光源から光が提供されることに応答して、指向性光をディスプレイパネルに出光させる、請求項３０乃至３３のいずれか一項に記載の導光板。
【請求項３５】
前記下部は２Ｄ光源から光が提供されることに応答して、均一な光をディスプレイパネルに出光させる、請求項３０乃至３４のいずれか一項に記載の導光板。
【発明の詳細な説明】
【技術分野】
【０００１】
以下の実施形態は、バックライトユニット及びこれを含むディスプレイ装置に関する。
【背景技術】
【０００２】
３Ｄディスプレイは、視聴者の左目及び右目にそれぞれ互いに異なる視点（ｖｉｅｗ  ｐｏｉｎｔ）の映像を見せることで実現できる。３Ｄディスプレイは、メガネを用いた方式と無眼鏡の方式で実現し得る。無眼鏡方式の場合、３Ｄ映像を視点により空間的に分割して表現し、主に光学制御手段を用いて空間に映像を分割して表現する。このような光学制御手段として、レンチキュラレンズ（ｌｅｎｔｉｃｕｌａｒ  ｌｅｎｓ）とパララックスバリア（ｐａｒａｌｌａｘ  ｂａｒｒｉｅｒ）などが代表的である。レンチキュラレンズはそれぞれのピクセル映像が特定方向にのみ表現されるようにし、パララックスバリアはスリットを用いて特定方向に特定ピクセルのみが見えるようにする。３Ｄディスプレイが幅広く普及されるためには、１つの装置で３Ｄディスプレイと２Ｄディスプレイが共に実現される必要がある。
【発明の概要】
【発明が解決しようとする課題】
【０００３】
本発明の目的は、バックライトユニット及びこれを含むディスプレイ装置を提供することにある。
【課題を解決するための手段】
【０００４】
一側面によると、バックライトユニットは、３Ｄディスプレイのための第１光を提供する第１光源と、２Ｄディスプレイのための第２光を提供する第２光源と、前記第１光をディスプレイパネルに出光させる第１出光パターンを上面に含み、前記第２光を前記ディスプレイパネルに出光させる第２出光パターンを下面に含む導光板とを含む。
【０００５】
前記第１出光パターンは、前記第１光源によって提供されて前記導光板内で全反射される前記第１光を前記導光板の上面を介して出光させる複数の線形構造を含み得る。前記複数の線形構造は逆台形の断面を有し得る。前記第１出光パターンと前記ディスプレイパネルが互いに一定の間隔を保持するように、前記第１出光パターンの上面は前記ディスプレイパネルに光学接着剤により固定され得る。前記第２出光パターンは、前記第２光源によって提供されて前記導光板内で全反射される前記第２光を前記導光板の下面を介して出光させる複数の線形構造を含み得る。該複数の線形構造は円形断面又は多角形断面のうち少なくとも１つを有し、前記導光板外部に突出し又は前記導光板内部に湾入され得る。
【０００６】
前記バックライトユニットは、前記第２出光パターンによって前記導光板の下面に出光された光を前記ディスプレイパネルに反射する反射体をさらに含み得る。前記反射体の上面は三角形態であり得る。前記バックライトユニットは、前記第２出光パターンと前記反射体との間に配置される散光器をさらに含み得る。
【０００７】
前記第１光源は、前記導光板に第１方向に前記３Ｄディスプレイのための前記第１光を提供し、前記第２光源は前記導光板に第２方向に前記２Ｄディスプレイのための前記第２光を提供し得る。前記第１方向と前記第２方向は互いに垂直であり得る。前記第１光源及び前記第２光源は、前記導光板の対向しない互いに異なる側面に配置され得る。前記バックライトユニットは、前記第１光源及び前記第２光源のうち少なくとも一方は、前記導光板の対向する互いに異なる側面に配置され得る。前記バックライトユニットは、前記第１光源及び前記第２光源のうち少なくとも一方の反対側の前記導光板の側面に配置される少なくとも１つの反射体をさらに含み得る。前記バックライトユニットは、前記第１光源及び前記第２光源のうち少なくとも一方と前記導光板との間に配置される少なくとも１つの導光バーと散光器をさらに含み得る。
【０００８】
一実施形態に係るディスプレイ装置は、２Ｄモード又は３Ｄモードで表示するディスプレイパネルと、前記ディスプレイパネルに光を提供する導光板と、前記ディスプレイパネルが前記３Ｄモードで表示する場合、前記導光板に第１方向の第１光を提供する第１光源と、前記ディスプレイパネルが前記２Ｄモードで表示する場合、前記導光板に第２方向の第２光を提供する第２光源とを含み、前記導光板は、前記第１光を前記ディスプレイパネルに出光させる第１出光パターンを上面に含み、前記第２光を前記ディスプレイパネルに出光させる第２出光パターンを下面に含む。
【０００９】
前記第１出光パターンは、前記第１光源によって提供されて前記導光板内で全反射される前記第１光を前記導光板の上面を介して出光させる複数の線形構造を含み得る。前記第２出光パターンは、前記第２光源によって提供されて前記導光板内で全反射される前記第２光を前記導光板の下面を介して出光させる複数の線形構造を含み得る。
【００１０】
前記ディスプレイ装置は、 前記第２出光パターンによって前記導光板の下面に出光された光を前記ディスプレイパネルに反射する反射体をさらに含み得る。前記第１方向と前記第２方向は互いに垂直であり得る。前記第１光源及び前記第２光源は、前記導光板の対向しない互いに異なる側面に配置され得る。前記ディスプレイ装置は、前記第１光源及び前記第２光源のうち少なくとも一方と前記導光板との間に配置される少なくとも１つの導光バーと散光器をさらに含み得る。
【００１１】
一実施形態に係る導光板は、第１面に第１方向の第１線形パターンと、前記第１面の反対側の第２面に前記第１方向と異なる第２方向の第２線形パターンとを含み、３Ｄディスプレイのための第１光源からの光は前記第１線形パターンによって出光され、２Ｄディスプレイのための第２光源からの光は前記第２線形パターンによって出光される。
【００１２】
前記第１方向と前記第２方向は垂直であり得る。又は、前記第１方向と前記第２方向は７０°よりも大きく８０°よりも小さい角度をなす。前記第１方向と前記第２方向がなす角度は、３Ｄ映像のための光の品質に関連する第１制限と、２Ｄ映像のための光の品質に関連する第２制限に基づいて決定され得る。
【００１３】
前記第１線形パターンの断面は逆台形であり得る。前記第２線形パターンの断面は円形であり得る。前記第１線形パターンは規則的なパターンを含み、前記第２線形パターンは、規則的なパターンあるいは不規則的なパターンを含み得る。
【００１４】
一実施形態に係るバックライトユニットの製造方法は、第１光源から提供される光を用いて指向性光をディスプレイパネルに出光させるための第１出光パターンを構成するステップと、第２光源から提供される光を用いて非指向性光を前記ディスプレイパネルに出光させるための第２出光パターンを導光板の下面に構成するステップと、前記導光板の上面に前記第１出光パターンを付着するステップとを含む。
【００１５】
前記第１出光パターンを構成するステップは、台形又は三角形態の溝を有する鋳型をレジンが塗布された第１フィルムに圧着するステップと、前記第１フィルムに前記鋳型を圧着した状態で前記第１フィルムのレジンを硬化させるステップと、前記鋳型の圧着を解除するステップと、前記第１フィルムのレジンが硬化して形成された台形又は三角形態の突出部をレジンが塗布された第２フィルムに接触させるステップと、第２フィルムに前記第１フィルムの突出部を接触させた状態で前記第２フィルムのレジンを硬化させるステップとを含む。
【００１６】
前記バックライトユニットの製造方法は、前記導光板の対向しない互いに異なる側面に前記第１光源及び前記第２光源を構成するステップをさらに含み得る。前記バックライトユニットの製造方法は、前記第２出光パターンによって前記導光板の下面に出光された光を前記ディスプレイパネルに反射する反射体を前記第２出光パターンの下面に構成するステップをさらに含み得る。
【００１７】
一実施形態に係る導光板は、下面に複数の第１構造を含む下部と、上面に複数の第２構造を含む上部とを含み、前記第２構造は、光源からの光のうち少なくとも一部を導光板から出光させ、前記複数の第２構造の少なくとも一部は逆台形の断面を有する。
【００１８】
前記複数の第１構造は前記導光板外部に突出し又は前記導光板内部に湾入され得る。前記複数の第２構造は一定の間隔で形成され得る。前記複数の第１構造のうち少なくとも一部は部分的に円形の断面を有し得る。前記上部は３Ｄ光源から光が提供されることに応答して、指向性光をディスプレイパネルに出光させ得る。前記下部は２Ｄ光源から光が提供されることに応答して、均一な光をディスプレイパネルに出光させ得る。
【発明の効果】
【００１９】
本発明によると、バックライトユニット及びこれを含むディスプレイ装置を提供することができる。
【図面の簡単な説明】
【００２０】
【図１】一実施形態に係るディスプレイ装置を示す図である。
【図２】一実施形態に係る光源及び出光パターンを示す図である。
【図３】一実施形態に係る第１出光パターンの断面構造を示す図である。
【図４】一実施形態に係る第１出光パターンによる出光形態を示す図である。
【図５】一実施形態に係る第１出光パターンと光源の配置を示す図である。
【図６】一実施形態に係る第２出光パターンの断面構造を示す図である。
【図７】一実施形態に係る第２出光パターンによる出光形態を示す図である。
【図８】一実施形態に係る第２出光パターンと光源の配置を示す図である。
【図９Ａ】一実施形態に係る第２出光パターンの平面構造を示す図である。
【図９Ｂ】一実施形態に係る第２出光パターンの平面構造を示す図である。
【図１０】一実施形態に係る第２出光パターンの例示を示す図である。
【図１１】一実施形態に係る第２出光パターンの例示を示す図である。
【図１２】一実施形態に係る第２出光パターンの例示を示す図である。
【図１３】一実施形態に係るバックライトユニットの製造方法を示した動作フローチャートである。
【図１４】一実施形態に係る第１出光パターンの製造過程を示す図である。
【発明を実施するための形態】
【００２１】
本明細書で開示されている特定の構造的又は機能的説明は単に実施形態を説明するための目的として例示されたものであり、実施形態は様々な異なる形態で実施され、本明細書に説明された実施形態に限定されることはない。
【００２２】
第１又は第２などの用語を複数の構成要素を説明するために用いることがあるが、このような用語は１つの構成要素を他の構成要素から区別する目的としてのみ解釈されなければならない。例えば、第１構成要素は第２構成要素と命名することができ、同様に第２構成要素は第１構成要素にも命名することができる。
【００２３】
いずれかの構成要素が他の構成要素に「結合されて」いると言及された場合、その次の構成要素に直接的に結合されてもよく、又は中間に他の構成要素が存在することもあり得ると理解されなければならない。一方いずれかの構成要素が他の構成要素に「直接結合されて」いるか「直接接続されて」いると言及される場合には、中間に他の構成要素が存在しないものとして理解されなければならない。構成要素間の関係を説明する表現、例えば「〜間に」と「すぐ〜の間に」、又は「〜に隣接する」と「〜に直接に隣接する」などのように解釈されなければならない。
【００２４】
異なるように定義されない限り、技術的な又は科学的な用語を含むここで用いる全ての用語は、本実施形態が属する技術分野で通常の知識を有する者によって一般的に理解されるものと同じ意味を有する。一般的に用いられる予め定義された用語は、関連技術の文脈上で有する意味と一致する意味を有するものと解釈すべきであって、本明細書で明白に定義しない限り、理想的又は過度に形式的な意味として解釈されることはない。
【００２５】
以下、実施形態を例示的である図面によって詳細に説明する。各図面の構成要素に参照符号を付加するにおいて、同一の構成要素に対してはたとえ他の図面上に表示されたとしても、可能な限り同一の符号を付加したことに留意しなければならない。また、実施形態を説明するにおいて、関連する公知構成又は機能に対する具体的な説明が実施形態に対する理解を妨げると判断される場合にはその詳細な説明は省略する。
【００２６】
下記で説明される実施形態は、１つのディスプレイ装置で３Ｄ映像又は２Ｄ映像を表示するために使用される。実施形態は、パーソナルコンピュータ、ラップトップコンピュータ、タブレットコンピュータ、スマートフォン、テレビ、スマート家電機器、知能型自動車、ウェアラブル装置、デジタル広告看板（ＤＩＤ；ｄｉｇｉｔａｌ  ｉｎｆｏｒｍａｔｉｏｎ  ｄｉｓｐｌａｙ）などの様々な形態の製品で実現し得る。
【００２７】
以下、実施形態を添付する図面を参照しながら詳細に説明する。各図面に提示された同一の参照符号は同一の部材を示す。
【００２８】
図１は、一実施形態に係るディスプレイ装置を示す図である。図１を参照すると、ディスプレイ装置１００は、光源１１０、ディスプレイパネル１２０、導光板１３０及び反射体１４０を含む。図１は、ディスプレイ装置１００の断面を示す。以下で詳細に説明するが、ディスプレイ装置１００は、２Ｄディスプレイ及び３Ｄディスプレイを全て提供し得る。例えば、ディスプレイ装置１００は、２Ｄモードで２Ｄ映像を介して２Ｄディスプレイを提供し、３Ｄモードで３Ｄ映像を介して３Ｄディスプレイを提供する。ディスプレイ装置１００では、２Ｄ映像のための構造と３Ｄ映像のための構造とが互いに影響を及ぼさないため、２Ｄ映像と３Ｄ映像を単一装置で実現するために伴うノイズが抑制される。これについて説明すると、２Ｄ映像のための光を提供するとき３Ｄ映像のための構造が２Ｄ映像のための光に影響を及ぼさないことから２Ｄ映像に十分な量の光が均一に提供され、３Ｄ映像のための光を提供するとき、２Ｄ映像のための構造が３Ｄ映像のための光に影響を及ぼさないことから３Ｄ映像に必要な指向性光が提供される。また、ディスプレイ装置１００では、第１出光パターン１３１の上面がディスプレイパネル１２０に固定されることで、バックライトから出光される光線の方向とディスプレイパネル１２０ピクセル間の相対位置をパネル全体の面積に対して一定に保持できるため、３Ｄ映像の画質劣化を抑制できる。したがって、ディスプレイ装置１００は、２Ｄ映像及び３Ｄ映像の全てを高い品質に提供することができる。
【００２９】
ディスプレイパネル１２０は、２Ｄ映像又は３Ｄ映像を出力し得る。２Ｄ映像は、視野角範囲内で同じ映像を表現して全体的に均一なバックライトを必要とする。このようなバックライトは、非指向性光によって実現される。３Ｄディスプレイは、視聴者の左目及び右目にそれぞれ互いに異なる視点の映像を見せることで実現され、無眼鏡方式の場合、３Ｄ映像を視点により空間的に分割して表現し得る。したがって、３Ｄ映像は、このような互いに異なる視点の映像を含み、指向性光を必要とする。以下の実施形態によると、２Ｄ映像のために光源１１０、導光板１３０の第２出光パターン１３２、及び反射体１４０によってディスプレイパネル１２０に非指向性の光が提供され、３Ｄ映像のために光源１１０及び導光板１３０の第１出光パターン１３１を介してディスプレイパネル１２０に指向性光が提供される。
【００３０】
光源１１０は、導光板１３０に光を提供する。光源１１０は、２Ｄ映像及び３Ｄ映像それぞれに対して互いに異なる方向の光を提供し得る。例えば、ディスプレイパネル１２０に３Ｄ映像が出力される場合、光源１１０は導光板１３０に第１方向の光を提供し、ディスプレイパネル１２０に２Ｄ映像が出力される場合、光源１１０は導光板１３０に第２方向の光を提供する。導光板１３０は、光源１１０から入射した光を内部全反射条件（ｔｏｔａｌ  ｉｎｔｅｒｎａｌ  ｒｅｆｌｅｃｔｉｏｎ：ＴＩＲ）により導光板１３０内部でガイドする。
【００３１】
導光板１３０は、上面に第１出光パターン１３１を含み、下面に第２出光パターン１３２を含む。光源１１０から導光板１３０に提供された光は、内部全反射条件が満足される場合、導光板１３０内部に沿って全反射され、第１出光パターン１３１あるいは第２出光パターン１３２によって内部全反射条件が満足されない場合、導光板１３０の外部に出光されてディスプレイパネル１２０に提供される。
【００３２】
第１出光パターン１３１及び第２出光パターン１３２は、それぞれ固有の方向で提供される光にだけ反応する構造を有し得る。例えば、第１出光パターン１３１は第１方向の光にだけ反応する構造を有してもよく、第２出光パターン１３２は第２方向の光にだけ反応する構造を有してもよい。一例として、第１出光パターン１３１は第１方向に垂直であり、第２方向に平行した構造により第１方向の光にだけ反応し、第２出光パターン１３２は、第２方向に垂直であり、第１方向に平行した構造により第２方向の光にだけ反応してもよい。しかし、出光パターン（例えば、第１出光パターン又は第２出光パターン）が出光方向（例えば、第１方向又は第２方向）に対して必ず垂直である必要はない。
【００３３】
第１出光パターン１３１は、３Ｄ映像のためにディスプレイパネル１２０に指向性光を提供してもよく、第２出光パターン１３２は、２Ｄ映像のためにディスプレイパネル１２０に均一な非指向性光を提供してもよい。第１出光パターン１３１は、光が予め決定した方向性を満足するとき内部全反射条件が壊れるようにする構造により指向性光を提供してもよい。以下で詳細に説明するが、指向性光は、第１出光パターン１３１の逆台形パターンによって提供され得る。第２出光パターン１３２は、様々な方向に均一に内部全反射条件が壊れるようにする構造により均一な光を提供できる。第２出光パターン１３２は、内部全反射条件が壊れた光を導光板１３０の下面に出光させ、反射体１４０は、第２出光パターン１３２により出光された光をディスプレイパネル１２０に反射する。反射体１４０は、光を反射するとき光を様々な方向に均一に反射することで２Ｄ映像に提供される光の均一性を増大させることができる。
【００３４】
図２は、一実施形態に係る光源及び出光パターンを示す図である。図２を参照すると、第１光源２１０及び第２光源２２０はそれぞれ第１方向Ｄ１及び第２方向Ｄ２に導光板に光を提供する。光源２１０、２２０は、ＬＥＤ（ｌｉｇｈｔ  ｅｍｉｔｔｉｎｇ  ｄｉｏｄｅ）光源又はＬＤ（ｌａｓｅｒ  ｄｉｏｄｅ）光源などの様々な光源を含み得る。導光板に均一な光を提供するために、光源２１０、２２０の向い側には追加的な光源又は反射体が位置してもよい。導光板は、第１出光パターン２３０及び第２出光パターン２４０を含む。第１出光パターン２３０及び第２出光パターン２４０は複数の線形パターンを含む。第１出光パターン２３０の線形パターンは第１方向Ｄ１に垂直であり、第２方向Ｄ２に平行である。反対に、第２出光パターン２４０の線形パターンは第２方向Ｄ２に垂直であり、第１方向Ｄ１に平行である。したがって、第１方向Ｄ１の光は第１出光パターン２３０にのみ影響を受け、第２方向Ｄ２の光は第２出光パターン２４０にのみ影響を受ける。しかし、第１出光パターン２３０の線形パターンは、第１方向Ｄ１に対して必ず垂直に配置される必要はない。３Ｄ映像を実現するときディスプレイパネルのピクセルを横方向及び縦方向の全てに対して効率よく活用するため、第１出光パターン２３０の線形パターンは一定の角度斜めに配置される。たとえ、第１出光パターン２３０の線形パターンが一定の角度斜めに配置されても、第２方向Ｄ２の光が導光板によってガイドされるとき内部全反射条件が激しく壊れない場合、２Ｄ映像のための均一な非指向性光が問題を生じることなく提供される。
【００３５】
ディスプレイパネルに３Ｄ映像が表示される場合、第１光源２１０は導光板に第１方向Ｄ１の光を提供する。第１光源２１０によって提供された光は、導光板内で全反射されてから第１出光パターン２３０によりディスプレイパネルに出光される。ディスプレイパネルに２Ｄ映像が表示される場合、第２光源２２０は導光板に第２方向Ｄ２の光を提供する。第２光源２２０によって提供された光は、導光板内で全反射されて第２出光パターン２４０によりディスプレイパネルに出光される。第１出光パターン２３０及び第２出光パターン２４０それぞれの構造及び形態によって、指向性光又は非指向性光をディスプレイパネルに提供し得る。実施形態によると、ディスプレイ装置は、第１光源２１０を介して３Ｄ映像を出力するディスプレイパネルに指向性光を提供することで視聴者に３Ｄ映像を提供し、第２光源２２０を介して２Ｄ映像を出力するディスプレイパネルに非指向性光を提供することで視聴者に２Ｄ映像を提供することから、２Ｄ映像と３Ｄ映像を容易に切り替えることができる。
【００３６】
図３は、一実施形態に係る第１出光パターンの断面構造を示す図である。図３を参照すると、ディスプレイ装置３００は、導光板３１０、散光器３２０、３５５、３５６、反射体３２５、ディスプレイパネル３３０、及び第１光源３４０、３４１を含む。導光板３１０は、第１出光パターン３１１及び第２出光パターン３１２を含んでいる。図３は、第２方向Ｄ２から見たディスプレイ装置３００の断面を示し、第２方向Ｄ２に光を提供する第２光源は省略されている。導光バー（Ｌｉｇｈｔ  Ｇｕｉｄｅ  Ｂａｒ：ＬＧＢ）３５０、散光器３５５、導光板３１０、及びディスプレイパネル３３０を通過する矢印は、第１光源３４０により提供された光が移動する経路を示す。
【００３７】
第１光源３４０、３４１は、導光板３１０に第１方向Ｄ１の光を提供する。第１光源３４０、３４１によって提供された光の内部全反射条件が満足される場合、第１光源３４０、３４１によって提供された光は導光板３１０内で全反射される。反対に、第１光源３４０、３４１によって提供された光の内部全反射条件が壊れる場合、第１光源３４０、３４１によって提供された光は導光板３１０の外部に出光される。第１出光パターン３１１は、逆台形断面３１３を有する複数の線形パターンを含む。第１出光パターン３１１は、逆台形断面３１３を介して第１光源３４０、３４１により提供された光の内部全反射条件を壊し得る。したがって、第１光源３４０、３４１によって提供された光は、逆台形断面３１３を介してディスプレイパネル３３０に出光される。
【００３８】
逆台形断面３１３を有する線形パターンは、第１出光パターン３１１内で一定の間隔に配置される。第１光源３４０、３４１によって提供された光は、逆台形の断面３１３が形成している角度に応じて指向性を有してディスプレイパネル３３０に出光される。したがって、第１出光パターン３１１は、指向性光を提供し得る。逆台形断面３１３が形成している角度を調整すると、出光される光の分布が調整され、したがって、３Ｄ映像の視野角を調整することができる。
【００３９】
図２に示すように、第１出光パターン３１１の線形パターンと第２出光パターン３１２の線形パターンは互いに垂直に配置されたり、垂直に近く配置されている。図３は、第２方向Ｄ２から見たディスプレイ装置３００の断面であり、図３において第２出光パターン３１２は一の字のように表現されている。光の直進性によって第２出光パターン３１２は、第１光源３４０、３４１により提供された光に実質的に影響を及ぼすことはなく、第１光源３４０、３４１から提供された光の内部全反射条件は第２出光パターン３１２によっては壊れない。したがって、第１光源３４０、３４１によって提供された光は、第２出光パターン３１２によって導光板３１０の外部に出光されない。
【００４０】
以下で詳細に説明するが、第２出光パターン３１２は、突出又は湾入された様々な形態を有し得る。第２出光パターン３１２の形態に応じて第１光源３４０、３４１によって提供された光が全反射される位置に差があるだけであって、第１光源３４０、３４１によって提供された光は、第２出光パターン３１２により導光板３１０の外部に出光されず全反射される。散光器３２０及び反射体３２５は、第２出光パターン３１２によって導光板３１０の外部に出光された光を散光及び反射する。第１光源３４０、３４１によって提供された光は、第２出光パターン３１２によって導光板３１０の外部に出光されないため、散光器３２０及び反射体３２５は第１光源３４０、３４１によって提供された光には影響を及ぼすことない。以下で詳細に説明するが、散光器３２０及び反射体３２５には第２光源の光が提供される。
【００４１】
導光バー３５０、３５１及び散光器３５５、３５６は、第１光源３４０、３４１によって提供された光が均一に広がって導光板３１０に入射されるようにする。導光バー３５０、３５１には、導光板方向に散光器３５５、３５６が取り付けられる。導光バー３５０、３５１及び散光器３５５、３５６は、第１方向Ｄ１の光の上下左右の角度を多様化することで、一定の間隔に配置された逆台形断面に光を均等に提供し、光が左右方向に均一に広がって導光板３１０に入射されるようにする。したがって、様々な視点に対応する映像の明るさが均等になり、１つの視点に対応する映像内のピクセルの明るさも均等になる。
【００４２】
図３において、第１光源３４０、３４１及び導光バー３５０、３５１は導光板３１０の両側の側面に配置されている。図３に示された第１光源３４０、３４１及び導光バー３５０、３５１の配置は１つの実施形態に当該し、第１光源３４０、３４１及び導光バー３５０、３５１は他の方式により多様に配置される。例えば、導光板３１０の一側面に第１光源３４０及び導光バー３５０が配置され、反対側の側面には反射体が配置される。反射体は、第１光源３４０で提供された光を反射することによって、第１光源３４０が配置されていない側面に光を提供する。反射体は、光を様々な方向に反射するために配置され、特に、反射体によって反射した光を第１光源３４０から導光板３１０の一面に入射される光の垂直入射角度と類似の垂直入射角度で導光板３１０の他面に入射させるために三角形態の表面を有する。
【００４３】
第１出光パターン３１１とディスプレイパネル３３０が互いに一定の間隔を保持するよう、第１出光パターン３１１の上面はディスプレイパネル３３０に光学接着剤３６０を用いて固定される。内部全反射条件のために、導光板３１０は、導光板３１０よりも低い屈折率の媒質で取り囲まれている。例えば、一般的に、導光板３１０の外部には空気層を形成してもよい。導光板３１０とディスプレイパネル３３０との間の空気層を保持するためには、導光板３１０とディスプレイパネル３３０の前面を接着することができないため、導光板３１０とディスプレイパネル３３０を機械的に固定することになる。ただし、３Ｄ映像の画質劣化を防ぐためには、ディスプレイパネル３３０に正確な角度の指向性光を提供する必要がある。言い換えれば、導光板３１０とディスプレイパネル３３０は正確に固定されて固定状態が保持される必要がある。第１出光パターン３１１の場合、逆台形断面の間に空気層が形成され、第１出光パターン３１１の上面に平面を形成する。したがって、第１出光パターン３１１の上面とディスプレイパネル３３０の前面を光学接着剤３６０を用いて接着することで、導光板３１０とディスプレイパネル３３０の間隔を保持し得る。以下で詳細に説明するが、第１出光パターン３１１はフィルムの形態に製造され、光学接着剤３６０を用いてディスプレイパネル３３０に容易に接合され得る。
【００４４】
図４は、一実施形態に係る第１出光パターンによる出光形態を示す図である。図４を参照すると、導光板は上面に第１出光パターン４１１を含み、下面に第２出光パターン４１２を含む。説明の便宜のために、第１出光パターン４１１は逆台形断面として表現されている。第１方向Ｄ１に提供された光が第１出光パターン４１１にぶつかる場合、第１方向Ｄ１に提供された光の内部全反射条件は壊れる。内部全反射条件が壊れた光は、逆台形の断面によって導光板４１０の外部に出光する。逆台形断面は一定の角度を有するため、第１出光パターン４１１の逆台形断面によって３Ｄ映像のための指向性光を形成し得る。
【００４５】
逆台形断面の形態によって、このような指向性光の特性を調整し得る。第１出光パターン４１１の逆台形断面はＷ１の幅を有する底辺と、Ｗ２の幅を有する上辺、２つの傾斜した側辺を含む。逆台形断面の傾斜した側辺と導光板４１０はθ１の角度を形成する。Ｗ１を調整して第１出光パターン４１１により出光する指向性光の量が調整される。例えば、Ｗ１を広げる場合、３Ｄ映像に提供される指向性光の量が増加し、３Ｄ映像は明るくなる。しかし、Ｗ１を調整する場合、３Ｄ映像の均一度にも影響を及ぼすため、Ｗ１は一般的に最適値として設計される。また、Ｗ２を調整して第１出光パターン４１１によって出光される指向性光の分布が調整され、指向性光の分布が調整されることにより３Ｄ映像の視野角が調整される。
【００４６】
図５は、一実施形態に係る第１出光パターンと光源の配置を示す図である。図５を参照すると、第１光源５１１は導光板５２０の左側及び右側に配置されており、第２光源５１３は導光板５２０の上側に配置されている。図５に示された光源５１１、５１３の配置は１つの実施形態に当該し、光源５１１、５１３は他の形態に配置されてもよい。第１光源５１１及び第２光源５１３は、導光板５２０の対向しない互いに異なる側面に配置され得る。また、第１光源５１１及び／又は第２光源５１３のそれぞれは、導光板５２０の対向する互いに異なる側面に配置されてもよい。例えば、図５とは異なって、第２光源５１３は、導光板５２０の上側及び下側の双方に配置されてもよい。また、光源５１１、５１３が導光板５２０のいずれか一方にのみ配置される場合、他方には反射体が配置されてもよい。例えば、第２光源５１３の反対側である、導光板５２０の下方に反射体が配置されてもよい。導光板５２０と光源５１１、５１３との間には導光バー５３０が配置される。
【００４７】
図５は、導光板５２０の平面を示す。図５には導光板５２０の上面に位置する第１出光パターンが図示されている。第１出光パターンは複数の線形パターンを含む。複数の線形パターンは上記で説明された逆台形の断面を有する。
【００４８】
実施形態に応じて、第１出光パターンは、第２方向Ｄ２とθの角度を形成し得る。ここで、θは傾斜角を示す。第１出光パターンが傾斜角を形成することによって無眼鏡式の３Ｄ表示技術で単一方向（例えば、水平方向あるいは垂直方向）に発生する解像度の低下現象が水平方向及び垂直方向に分配される。また、無眼鏡式の３Ｄ表示技術で発生するブラックストライプ（ｂｌａｃｋ  ｓｔｒｉｐｅ）現象が除去され得る。そのため、３Ｄ映像の画質が改善されて３Ｄ映像に含まれた視点の数が増加する。
【００４９】
傾斜角は、無眼鏡式３Ｄ表示技術で傾斜レンチキュラレンズ（ｓｌａｎｔｅｄ  ｌｅｎｔｉｃｕｌａｒ  ｌｅｎｓ）の角度を決定する方式と同じ方式により決定される。言い換えれば、第１出光パターンは、ディスプレイパネルに適用された３Ｄ表示技術に基づいて形成される。例えば、θはディスプレイパネルに表示される３Ｄ映像の視点数、ディスプレイパネルの解像度、第１出光パターンのピッチ、及び／又はディスプレイパネルのピクセルパターンと第１出光パターンとの間の相関度などに基づいて決定される。
【００５０】
ここで、第１出光パターンの傾斜角により２Ｄ映像のための光の品質（例えば、非指向性光の均一度など）が低下することがある。実施形態によると、２Ｄ映像のための光の品質が低下する程度が予め決定した閾値以内になるよう、傾斜角の範囲を制限し得る。
【００５１】
例えば、３Ｄ映像のための光の品質（例えば、画質又は視点数など）と２Ｄ映像のための光の品質（例えば、非指向性光の均一度など）を共に考慮して、傾斜角は１０°よりも大きくて２０°よりも小さい値を有してもよい。この場合、第１出光パターンと第２出光パターンは７０°よりも大きくて８０°よりも小さい角度を形成してもよい。より具体的に、θは１２．５°であってもよく、第１出光パターンと第２出光パターンは７７．５°の角度を形成してもよい。
【００５２】
前述した数値は例示的な事項に当該し、３Ｄ映像のための光の品質に関連する第１制限と２Ｄ映像のための光の品質に関連する第２制限により多様に変形され得る。例えば、第１制限は、３Ｄ映像のための光の品質を予め決定した第１閾値品質以上に向上させるための閾値角度あるいは角度範囲を含み、第２制限は、２Ｄ映像のための光の品質が予め決定した第２閾値品質以下に低下することを防止するための閾値角度あるいは角度範囲を含む。
【００５３】
図５は、第１光源５１１がθと関係がなくＤ１方向に光を提供する配置を示す。図５に示す実施形態においても、第１出光パターンの逆台形断面に光が十分に効率よく到達できる。たとえ、第１出光パターンが一定の角度に傾いても、第１出光パターンの断面形状は図３及び図４に示された逆台形の断面と実質的に同一であり、したがって、その効果も実質的に同一である。図５に示す実施形態によると、２Ｄ映像のための２Ｄモードで第１出光パターンによって一部の干渉が発生する可能性がある。しかし、２Ｄモードは、導光板に入射される光を非指向性光に拡散するモードとして、一部の干渉による一部指向性光は非指向性光により埋もれるため、第１出光パターンによって発生する一部の干渉は実質的に無視される。
【００５４】
図６は、一実施形態に係る第２出光パターンの断面構造を示す図である。図６を参照すると、ディスプレイ装置６００は、導光板６１０、散光器６２０、反射体６２５、ディスプレイパネル６３０及び第２光源６４０を含む。導光板６１０は、第１出光パターン６１１及び第２出光パターン６１２を含む。図６は、第１方向Ｄ１から見たディスプレイ装置６００の断面を示し、第１方向Ｄ１に光を提供する第１光源は省略され、第１出光パターン６１１の逆台形断面は図６に示さない。導光バー６５０、散光器６５５、導光板６１０、及びディスプレイパネル６３０を通過する矢印は、第２光源６４０によって提供された光が移動する経路を示す。
【００５５】
第２光源６４０は、導光板６１０に第２方向Ｄ２の光を提供する。第２光源６４０によって提供された光の内部全反射条件が満足される場合、第２光源６４０によって提供された光は導光板６１０内で全反射され、第２光源６４０によって提供された光の内部全反射条件が壊れる場合、第２光源６４０によって提供された光は導光板６１０の外部に出光される。第２出光パターン６１２は円形断面６１３を含む。ここで、円形は、断面に円のうち少なくとも一部を含む形態を意味し、半円形態を含んでもよい。また、円形断面６１３は１つの実施形態であり、第２出光パターン６１２は円形又は多角形の断面を有し、導光板６１０外部に突出したり導光板６１０内部に湾入される。第２出光パターン６１２は、円形断面６１３を介して第２光源６４０により提供された光の内部全反射条件を壊すことがある。したがって、第２光源６４０によって提供された光は、円形断面６１３を介して導光板６１０の下部に出光され、反射体６２５によって反射してディスプレイパネル６３０に提供される。
【００５６】
円形断面６１３は、第２出光パターン６１２内で様々な間隔に配置されてもよく、第２出光パターン６１２は様々な間隔で光を散光器６２０に提供する。散光器６２０は、第２出光パターン６１２によって提供された光を拡散させる。散光器６２０は、第２出光パターン６１２によって提供された光の上下左右の角度を多様化することで、より様々な方向の光を反射体６２５に提供し得る。反射体６２５は、散光器６２０によって提供された光をディスプレイパネル６３０に反射する。反射体６２５は、２Ｄ映像の視野角を調整して正面輝度を高めるために三角形態の上面を有してもよい。反射体６２５は、三角形態を用いて散光器６２０により広く広がった光をディスプレイパネル６３０の中心部に集める。反射体６２５の上面に位置する三角形の傾きを用いてディスプレイパネル６３０に提供される光の角度を調整し、これによって２Ｄ映像の視野角を調整できる。第２光源６４０により提供された光は、反射体６２５によって反射した後に散光器６２０、導光板６１０、光学接着剤６７０を介して一部屈折され、ディスプレイパネル６３０に提供される。第２光源６４０により提供された光は、第２出光パターン６１２の円形断面６１３、散光器６２０、及び反射体６２５を介して非指向性光になり、ディスプレイパネル６３０に提供される。したがって、ディスプレイパネル６３０を介して均一な明るさを有する２Ｄ映像を提供することができる。
【００５７】
第２光源６４０は、導光バー６５０を介して第２方向Ｄ２の光を導光板６１０に提供し得る。導光バー６５０及び散光器６５５は、第２光源６４０によって提供された光が均一に広がって導光板６１０に入射されるようにする。導光バー６５０には、導光板方向に散光器６５５が取り付けられる。導光バー６５０及び散光器６５５は、第２方向Ｄ２の光の上下左右の角度を多様化することで円形断面に光を均等に提供し、光が左右方向に均一に広がって導光板６１０に入射されるようにする。図６において、第２光源６４０及び導光バー６５０が導光板６１０の左側の側面に配置され、導光板６１０の右側の側面には反射体６６０が配置されている。図６に示された第２光源６４０、導光バー６５０、及び反射体６６０の配置は１つの実施形態に当該し、導光板６１０の右側の側面にも反射体６６０の代わりに第２光源６４０及び導光バー６５０が配置されてもよい。反射体６６０は、第２光源６４０で提供された光を反射することによって、第２光源６４０が配置されていない側面に光を提供し得る。反射体６６０は光を様々な方向に反射するために配置され、特に、反射体６６０によって反射した光を第２光源６４０から導光板６１０の一面に入射される光の垂直入射角度と類似の垂直入射角度で導光板６１０の他面に入射させるために、三角形態の表面を有し得る。反射体６６０は、三角形態の表面を介して光源６４０及び導光バー６５０により光が提供されるものと類似の形態に導光板６１０に光を提供し得る。
【００５８】
前述で説明されたように、第１出光パターン６１１と第２出光パターン６１２は互いに垂直に配置されたり、垂直に近い７０°〜８０°間の角度に配置されてもよい。図６は、第１方向Ｄ１から見たディスプレイ装置６００の断面であるため、図６で第１出光パターン６１１は一の字のように表現されている。第１出光パターン６１１によって第２光源６４０で提供された光の内部全反射条件が壊れていないか、あるいは壊れても非指向性光に埋もれるため、第１出光パターン６１１は第２光源６４０によって提供された光に実質的に影響を及ぼさない。
【００５９】
図７は、一実施形態に係る第２出光パターンによる出光形態を示す図である。図７を参照すると、導光板は上面に第１出光パターン７１１を含み、下面に第２出光パターン７１２を含む。第２方向Ｄ２に提供された光が第２出光パターン７１２にぶつかる場合、第２方向Ｄ２に提供された光の内部全反射条件は壊れる。全反射条件が壊れた光は、第２出光パターン７１２の円形断面によって導光板７１０の外部に出光し、散光器７３０を通過して反射体７２０に提供される。散光器７３０を通過した光は、拡散されて様々な方向に非指向性光を提供する。反射体７２０の三角形態に応じて反射体７２０が反射する光の角度が変わるため、２Ｄ映像の視野角が変わる。また、散光器７３０の拡散角度によって２Ｄ映像の視野角も変わり得る。
【００６０】
一実施形態によると、第２出光パターン７１２は、導光板７１０を形成するとき導光板形成の工程で一度に一体的に形成される。例えば、第２出光パターン７１２は、第２出光パターン７１２の形状で提供されたモールドを使用して一体に製造されてもよい。他の実施形態によると、第２出光パターン７１２は、導光板７１０と別途製造される。すなわち、第２出光パターン７１２はフィルム形態に製造されてもよく、導光板７１０と接合されてもよい。また、第２出光パターン７１２は様々な工程及び技術によって形成され得る。
【００６１】
図８は、一実施形態に係る第２出光パターンと光源の配置を示す図である。図８を参照すると、第１光源８１１は導光板８２０の左側及び右側に配置され、第２光源８１３は導光板８２０の上側に配置されている。先に説明したように、図８に示された光源８１１、８１３の配置は１つの実施形態に当該し、光源８１１、８１３は別の形態に配置される。図８は、導光板８２０の平面を示す。図８には、導光板８２０の下面に位置する第２出光パターンが図示されている。第２出光パターンは、複数の線形パターンを含む。複数の線形パターンは円形又は多角形の断面を有し、導光板８２０の外部に突出したり導光板８２０の内部に湾入される。
【００６２】
図９Ａ及び図９Ｂは、一実施形態に係る第２出光パターンの平面構造を示す図である。第２出光パターンが規則的なパターンを含む場合、導光板を通過しながら次第に減少する出光量によって２Ｄ映像の明るさが不均一になる。したがって、第２出光パターンは不規則的なパターンを含んでもよい。例えば、図９Ａを参照すると、第２出光パターンは複数の線形パターンを含み、複数の線形パターンは互いに異なる幅を有し得る。また、複数の線形パターンは、互いに異なる間隔に配置されてもよい。図９Ｂを参照すると、第２出光パターンは、グループパターン９１０、９２０を含む。グループパターン９１０、９２０のそれぞれは、同一の幅及び同一の間隔を有する複数の線形パターンを含む。グループパターン９１０、９２０は互いに異なる数の線形パターンを含んだり、互いに異なる幅の線形パターンを含んだり、互いに異なる間隔の線形パターンを含んでもよい。その他に、第２出光パターンには不規則的な様々な線形パターンが適用され得る。
【００６３】
図１０〜図１２は、一実施形態に係る第２出光パターンの例示を示す図である。先に説明されたように、第２出光パターンに含まれた線形パターンは、円形、又は多角形の断面を有し、導光板の外部に突出したり導光板の内部に湾入される。図１０は、円形断面を有する線形パターン１０１１が導光板１０１０の内部に湾入された形態及び円形断面を有する線形パターン１０２１が導光板１０２０の外部に突出した形態を示す。図１１は、三角形断面を有する線形パターン１１１１が導光板１１１０の内部に湾入されたプリズム形態及び三角形断面を有する線形パターン１１２１が導光板１１２０の外部に突出したプリズム形態を示す。図１２は、線形パターン１２１１が導光板１２１０の内部に湾入されたバンプ（ｂｕｍｐ）形態及び線形パターン１２２１が導光板１２２０の外部に突出したバンプ形態を示す。
【００６４】
図１３は、一実施形態に係るバックライトユニットの製造方法を示した動作フローチャートである。図１３を参照すると、ステップＳ１３１０において、製造装置は、第１光源から提供される光を用いて指向性光をディスプレイパネルに出光させるための第１出光パターンを構成する。ステップＳ１３２０において、製造装置は、第２光源から提供される光を用いて非指向性光を前記ディスプレイパネルに出光させるための第２出光パターンを導光板の下面に構成する。ステップＳ１３３０において、製造装置は、導光板の上面に第１出光パターンを付着する一側面によると、第１出光パターンは、２枚のフィルムを接合することにより製造される。具体的な第１出光パターンの製造過程については図１４を参照して説明する。
【００６５】
図１４は、一実施形態に係る第１出光パターンの製造過程を示す図である。図１４を参照すると、ステージ１で、製造装置は台形又は三角形態の溝を有する鋳型をレジン（ｒｅｓｉｎ）が塗布された第１フィルムに圧着する。ステージ２で、製造装置は、第１フィルムに鋳型を圧着した状態で第１フィルムのレジンを硬化させる。ステージ３で、製造装置は、鋳型の圧着を解除する。ステージ４及びステージ５で、製造装置は、第１フィルムのレジンが硬化して形成された台形又は三角形態の突出部をレジンが塗布された第２フィルムに接触させる。ステージ６で、第２フィルムに第１フィルムの突出部を接触させた状態で第２フィルムのレジンを硬化させる。第２フィルムのレジンが硬化すると、第１フィルムと第２フィルムが１つのフィルムをなし、フィルム形態の第１出光パターンになる。第１出光パターンは、その他に様々な工程によって製造され得る。例えば、第１出光パターンは、半導体工程などのエッチング工程でも製造される。このように出光パターンをフィルム形態で製造する場合、導光板に光学ボンディングを介して容易に接合することができる。
【００６６】
上述したように実施形態がたとえ限定された図面によって説明されたが、当技術分野で通常の知識を有する者であれば、前記に基づいて様々な技術的な修正及び変形を適用し得る。例えば、説明された技術が説明された方法と異なる順序に実行されたり、及び／又は説明されたシステム、構造、装置、回路などの構成要素が説明された方法と異なる形態に結合又は組合わせたり、他の構成要素又は均等物によって置換されても適切な結果が達成され得る。
【符号の説明】
【００６７】
１００、３００、６００  ディスプレイ装置
１１０、２１０、２２０、３４０、３４１、５１１、５１３、６４０、８１１、８１３  光源
１２０、６３０  ディスプレイパネル
１３０、３１０、４１０、５２０、６１０、７１０、８２０  導光板
１３１、２３０、３１１、４１１、６１１、７１１  第１出光パターン
１３２、２４０、３１２、４１２、６１２、７１２  第２出光パターン
１４０、３２５、６２５、６６０、７２０  反射体
３２０、３５５、３５６、６２０、６５５、７３０  散光器
３５０、３５１、５３０、６５０  導光バー
３６０、６７０  光学接着剤
【図１】
2018088408.tif 000003
【図２】
2018088408.tif 000004
【図３】
2018088408.tif 000005
【図４】
2018088408.tif 000006
【図５】
2018088408.tif 000007
【図６】
2018088408.tif 000008
【図７】
2018088408.tif 000009
【図８】
2018088408.tif 000010
【図９Ａ】
2018088408.tif 000011
【図９Ｂ】
2018088408.tif 000012
【図１０】
2018088408.tif 000013
【図１１】
2018088408.tif 000014
【図１２】
2018088408.tif 000015
【図１３】
2018088408.tif 000016
【図１４】
2018088408.tif 000017